(57)【要約】【課題】濡れ傘収納時に水漏れの無い、傘収納具を提供すること。【解決手段】上方の開口から入れられた傘を収容可能な傘袋１と、傘袋１の下方閉塞端部を内底部に保持し畳み込んだ傘袋１収容するカップ２と、傘袋１の下方閉塞端部をカップ２の内側に保持する保持手段３Ａとを備えている。【選択図】図１
2013013432.tif 000002
【特許請求の範囲】
【請求項１】
上方の開口から入れられた傘を収容可能な傘袋と、
前記傘袋の下方閉塞端部を内底部に保持するカップと、
前記傘袋の前記下方閉塞端部を前記カップの内側に保持する保持手段と、
を備え、
畳み込んだ前記傘袋を前記カップ内に収容することを特徴とする傘収納具。
【請求項２】
前記保持手段は、前記傘袋の前記下方閉塞端部を前記カップの内側に脱着可能に保持する請求項１に記載の傘収納具。
【請求項３】
前記保持手段は、前記カップの内径より小さい外径の内カップである請求項２に記載の傘収納具。
【請求項４】
前記カップの内側に配設され、前記内カップ端面外径より小さい内径を有する環状部材を備える請求項３に記載の傘収納具。
【請求項５】
前記カップの開口を閉塞する蓋を有し、前記蓋は前記カップの底部に装着可能である請求項１〜４のいずれか１項に記載の傘収納具。
【発明の詳細な説明】
【技術分野】
【０００１】
本発明は、傘特に濡れた傘を収納し、車両や家屋での保管および携行を容易にした傘収納具に関する。
【背景技術】
【０００２】
外出先で雨に濡れた傘を収納して携行、保管するための傘袋として、傘袋の下部が水滴受けとなり、上部内側にリングを装着し、リング装着部より口元にかけて傘袋の一側を切り開いた開口部の縁に、紐通しを設け、閉じ具を有する閉じ紐を装着した傘収納具が知られている（例えば、特許文献１参照。）。
【先行技術文献】
【特許文献】
【０００３】
【特許文献１】特開平１１−３１８５３０号公報
【発明の概要】
【発明が解決しようとする課題】
【０００４】
上記従来の傘収納具においては、水滴受が傘の石突きを収容する容積しかなく、溜まった水が水滴受だけで収容できない場合がある。その結果、水が水滴受と傘袋の繋ぎ目から染みだす恐れがある。
【０００５】
傘収納具は、濡れ傘を収納するためにバッグ等に入れて携行される。携行する際はできるだけコンパクトである必要がある。上記従来の傘収納具は、濡れ傘を収納しない場合、すなわち傘収納具を携行する場合、上部リングの下側の傘袋を上方に折り曲げて傘袋の口元から挿入している。したがって、折り曲げられた部分がバッグ等の内容物に引っ掛かり、傘袋が口元から引き出された場合、傘袋の中の水が外に漏れ出してしまう。また、バッグの中で上下が逆さになると、傘袋の中の水が外に漏れ出してバッグの中が濡れてしまう恐れもある。
【０００６】
本発明は、上記従来の傘収納具の問題に鑑みてなされたものであり、濡れ傘収納時に水漏れの無い、傘収納具を提供することを課題としている。
【０００７】
また、濡れ傘を収納しない場合、すなわち傘収納具を携行する場合、コンパクトにでき、内部に溜まった水が漏れ出すことがない傘収納具を提供することを課題としている。
【課題を解決するための手段】
【０００８】
上記の課題を解決するためになされた本発明の傘収納具は、上方の開口から入れられた傘を収容可能な傘袋と、前記傘袋の下方閉塞端部を内底部に保持するカップと、前記傘袋の前記下方閉塞端部を前記カップの内側に保持する保持手段と、を備え、畳み込んだ前記傘袋を前記カップ内に収容することを特徴とする。
【０００９】
傘袋の閉塞端部がカップの内底部に保持されるため、傘の石突きなどによる閉塞端部の破れを防止できる。また、カップは畳み込んだ傘袋を収容できるので、傘袋内に溜まった水が溢れたり染み出ることで周囲を汚すことがない。さらに、濡れた傘により水が付着した傘袋をカップ内に保持するため、傘収納具の周囲への水滴の付着を防止できる。
【００１０】
上記の傘収納具において、前記保持手段は、前記傘袋の前記下方閉塞端部を前記カップの内側に脱着可能に保持するとよい。
【００１１】
傘収納具使用後、傘袋をカップから外して、傘袋とカップをクリーニングしたり乾燥させたりすることができる。また、必要に応じて傘袋を容易に交換することができる。
【００１２】
本願の傘収納具は携行時、傘袋を完全にカップ内に収納できる為、すっきりとした外観とすることができ、カップの外面への彩色・装飾も容易にできる。さらに、バッグ内を手探りで探す際、バッグ内のポーチ、エコバッグなどと区別を付き易くすることができる。
【００１３】
また、前記保持手段は、前記カップの内径より小さい外径の内カップであるとよい。
【００１４】
傘袋の閉塞端部の中に内カップを入れ、傘袋端部および内カップをカップ内に押し込んで、傘袋の閉塞端部をカップ内に保持した場合、傘の石突きを内カップの底部で直接受け止めることができるため、傘袋の閉塞端部をより確実に保護することができる。
【００１５】
また、前記カップの内側に配設され、前記内カップ端面外径より小さい内径を有する環状部材を備えるとよい。
【００１６】
環状部材により、内カップの外周面がカップの内周面に嵌合または遊嵌の何れの状態であっても、内カップのカップ内からの離脱をより確実に規制することができる。
【００１７】
また、前記カップの開口を閉塞する蓋を有し、前記蓋は前記カップの底部に装着可能であるとよい。
【００１８】
傘収納具を携行する際、逆さに転倒させても、カップ外へ水がこぼれるのを防止できる。濡れ傘を収納する際、蓋をカップの底部に装着できるので、蓋を無くすことがない。
【発明の効果】
【００１９】
傘袋の閉塞端部がカップの内底部に保持されるため、傘の石突きなどによる閉塞端部の破れを防止できる。また、カップは畳み込んだ傘袋を収容できるので、傘袋内に溜まった水が溢れたり、染み出すことで傘収納具の周囲を汚すことがない。
【図面の簡単な説明】
【００２０】
【図１】実施形態１に係る本発明の傘収納具の斜視図である。
【図２】図１の要部断面図である。
【図３】変形態様の傘収納具の要部断面図である。
【図４】別の変形態様の傘収納具の要部断面図である。
【図５】別の変形態様の傘収納具の要部断面図である。
【図６】実施形態２に係る本発明の傘収納具の組立斜視図である。
【図７】図６の傘収納具の傘袋をカップに収納した状態を示す断面図である。
【図８】変形態様の傘収納具の断面図である。
【図９】実施形態２の傘収納具に雨に濡れた傘を収納した状態を示す側面図である。
【図１０】図９に示す傘を収納した傘収納具を自動車内に保管する状態を示す斜視図である。
【図１１】図１０のクランプ部材の斜視図である。
【図１２】傘袋収納手順を示す図である
【図１３】傘袋をカップに収納した状態を示す斜視図であり、（ａ）はカップの開口を蓋で閉じた状態の斜視図、（ｂ）は蓋をあけた状態の斜視図である。
【発明を実施するための形態】
【００２１】
（実施形態１）図１〜図２に示すように、本実施形態の傘収納具は、上方の開口から入れられた傘を収容可能な傘袋１と、傘袋１の下方閉塞端部を内底部に保持し畳み込んだ傘袋１収容するカップ２と、傘袋１の下方閉塞端部をカップ２の内側に保持する保持手段３Ａとを備えている。
【００２２】
傘袋１の上方開口部の一側がＶ字に切り開かれ、開口部に設けられた紐通し７に装着された閉じ具１０を有する閉じ紐９で開口部が閉じられるようになっている。
【００２３】
傘袋１はビニールやナイロンシート製でもよいが、防水加工した織布（傘に使用されている）が好ましい。傘収納具を携行するため、傘袋１を折畳んでカップ１に収納する際、折畳まれる。
【００２４】
傘袋１の下方閉塞部には凸部を有する樹脂製の部材３Ａ２が装着されている。
【００２５】
カップ２は樹脂製で、カップ２の内底には部材３Ａ２の凸部が嵌合される凹部３Ａ１が形成されている。
【００２６】
例えば、濡れ傘を収納する際、傘の石突きで部材３Ａ２を下方に押すことで、部材３Ａ２の凸部がカップ２の凹部３Ａ１により確実に嵌合される。傘収納具をクリーニングや乾燥させる場合は、傘袋１を上方に引っ張ることで部材３Ａ２の凸部がカップ２の凹部３Ａ１から離脱する。
【００２７】
したがって、本実施形態の保持手段３Ａは、カップ２の凹部３Ａ１と傘袋１の凸部を有する部材３Ａ２とからなり、傘袋１をカップ２に脱着可能に保持する。
【００２８】
本実施形態の傘収納具は、傘袋１の閉塞端部がカップ２の内底部に保持されるため、傘の石突きなどによる閉塞端部の破れを防止できる。また、カップ２は畳み込んだ傘袋を収容できるので、水が染みだすことがない。さらに、濡れた傘により水が付着した傘袋１をカップ２内に保持するため、傘収納具の周囲への水滴の付着を防止できる。
【００２９】
本実施形態の傘収納具は携行時、傘袋１を完全にカップ２内に収納できる為、すっきりとした外観とすることができ、カップ２の外面への彩色・装飾も容易にできる。さらに、バッグ内を手探りで探す際、バッグ内のポーチ、エコバッグなどと区別を付き易くすることができる。
【００３０】
次に、保持手段の変形態様を説明する。図３に示す保持手段３Ｂは、カップ２の内周壁に設けられた断面Ｌ字状のフック３Ｂ１と傘袋１の外周に設けられたベルト３Ｂ２を有する。フック３Ｂ１がベルト３Ｂ２に引っ掛かり、傘袋１がカップ２から抜けなくなる。
【００３１】
図４に示す保持手段３Ｃは、カップ２の内底に装着された係合リング３Ｃ１と傘袋１の下方閉塞部に設けられた割断リング３Ｃ２を有する。割断リング３Ｃ２は弾性変形して割断部イに隙間ができ、係合リング３Ｃ１と係合することができる。
【００３２】
図５に示す保持手段３Ｄは、カップ２の内底に装着された面ファスナー３Ｄ１と傘袋１の下方閉塞部外面に装着された面ファスナー３Ｄ２を有する。
【００３３】
（実施形態２）図６〜図７に示すように、本実施形態の傘収納具は、カップ２の開口を閉塞する蓋６を備え、保持手段が内カップ３である点が実施形態１の傘収納具と異なる。同一の構成要素には同一の符号を付し、説明を省略する。
【００３４】
本実施形態の傘収納具における保持手段は、カップ２の内径より小さい外径の内カップ３であり、図７に示すように、傘袋１の下方閉塞部の内側に収容され、傘袋１の下方閉塞部をカップ２の内面とで挟持する。
【００３５】
カップ２の上方開口から中に入ったカップ２の内周壁にゴム製の星形切り込みを内径側に有する環状部材４が装着されており、折畳んで収納された傘袋１がカップ２からはみ出すことが抑制される。閉じ紐９は環状部材４から上方に飛び出しており、濡れ傘を収納する際、閉じ紐９を持って傘袋１を引っ張り出すことができる。
【００３６】
カップ２の開口部には環状部材４が上方に動くことを規制するカップ上枠５が装着されている。したがって、環状部材４は、カップ２の段部イとカップ上枠５で挟持される。環状部材４をカップ２の段部イとカップ上枠５で挟持する形態は、カップ２の成形に有利である。
【００３７】
カップ上枠５には、蓋６が装着され、カップ２内の水が外にこぼれ出さないようになっている。なお、蓋６は、濡れ傘収納の際、点線で示すようにカップ２の底部に装着することができる。したがって、蓋６を紛失することがなくなる。
【００３８】
図８に、本実施形態の変形態様を示す。変形態様の傘収納具は、カップ２Ａの内周側に突出する突起ロを有している。したがって、環状部材４Ａは、突起ロと内カップ３の開口端とで挟持されるので、カップ上枠５が不要になる。
【００３９】
次に、図７の状態の傘収納具に濡れ傘を収納する手順を説明する。まず、蓋６を開けてカップ２の底部に装着する。次に環状部材４から飛び出している閉じ紐９を引っ張って折畳まれた傘袋１を広げる。次に、傘袋１の開口から濡れ傘を入れて開口を閉じ紐９で閉じることで図９に示す状態となり収納が完了する。
【００４０】
図９に示す濡れ傘を収納した状態の傘収納具を車内へ保管する場合は、図１０に示すように、例えばドアの持ち手にクランプ部材１０を取り付けて行われる。クランプ部材１１は図１１に示すように、コの字状のアーム１１ａとアーム１１ａの間隔を調整する調整ネジ１１ｂとを備えている。調整ネジ１１ｂの頭に閉じ紐９を引っ掛けることで、濡れ傘を収納した傘収納具を車内に保管することができる。
【００４１】
次に、例えば車から降りて傘を差して歩行するとき、傘収納具を携行する必要があるが、携行に適した傘収納具に変形する手順の一例を図１２を使って説明する。なお、図１２には傘袋１と内カップ３以外の構成要素は省略してある。先ず、図９の状態の傘収納具の閉じ紐９を緩めて傘袋１の開口から傘を取り出し図１２（ａ）に示す状態にする。次に、テーパ状の傘袋１が長方形になるように両側を折畳んで図１２（ｃ）に示す状態にする。次に上端が芯になるように上から下に巻回し図１２（ｅ）の状態にする。次に巻物状態の傘袋１を折り曲げて内カップ３の中に収納して図１２（ｇ）の状態にする。
【００４２】
なお、カップ２および環状部材４で郭成される空間を、傘袋１および内カップ３に対して充分大きく確保できる場合は、傘袋１を端部側から順次、指で押し込んで収納することも可能である。
【００４３】
図１２は、上記の手順で傘袋１を内カップ３の中に収納した状態の傘収納具の斜視図を示している。カップ２の開口が蓋６で塞がれており、転倒しても中の水がこぼれ出すことがない。また、本実施形態のカップ２の外径が約５０ｍｍ、高さが約１００ｍｍであり、コンパクトである。したがって、バッグ等に入れて携行することが容易である。
【００４４】
本実施形態の傘収納具は、傘の石突きを内カップ３の底部で受け止めることができるため、傘袋１の閉塞端部をより確実に保護することができる。
【００４５】
本実施形態の傘収納具はカップ２の開口を塞ぐ蓋６を備えているので、傘収納具を携行する際、逆さに転倒させても、カップ２の外へ水がこぼれるのを防止できる。
【符号の説明】
【００４６】
１・・・・・・・・・・・・・傘袋
２・・・・・・・・・・・・・カップ
３・・・・・・・・・・・・・保持手段（内カップ）
３Ａ、３Ｂ、３Ｃ、３Ｄ・・・保持手段
４、４Ａ・・・・・・・・・・環状部材
６、６Ａ・・・・・・・・・・蓋
【図１】
2013013432.tif 000003
【図２】
2013013432.tif 000004
【図３】
2013013432.tif 000005
【図４】
2013013432.tif 000006
【図５】
2013013432.tif 000007
【図６】
2013013432.tif 000008
【図７】
2013013432.tif 000009
【図８】
2013013432.tif 000010
【図９】
2013013432.tif 000011
【図１０】
2013013432.tif 000012
【図１１】
2013013432.tif 000013
【図１２】
2013013432.tif 000014
【図１３】
2013013432.tif 000015